(57)【要約】【課題】装置の大型化や費用の増加を抑えて、ミスト温度を容易に調整可能であると共に、噴霧部毎に異なるミスト温度で噴霧可能なミスト噴出装置を提供する。【解決手段】この課題を解決するために、ミスト噴出装置１を、一直線状に並び噴霧対象にミストを噴出する複数の噴霧部３と、前記噴霧部３の並ぶ直線に平行な軸を有し前記噴霧部３にミスト噴出用の噴霧水を供給する主管４と、前記主管４と平行に配置され前記噴霧部３に前記噴霧水の温度調整用の温調水を供給する副管５と、前記噴霧部３への前記温調水の供給量を前記噴霧部３毎に調整する開口部８を備える調整板６と、を有し、前記副管５が前記噴霧部３に前記温調水を供給する供給部７を備え、前記調整板６が供給部７を流通する前記温調水の流通量を前記開口部８により前記噴霧部３毎に夫々異なる量に調整するものとした。【選択図】図１
2011183049.tif 000002
【特許請求の範囲】
【請求項１】
一直線状に並び噴霧対象にミストを噴出する複数の噴霧部と、前記噴霧部の並ぶ直線に平行な軸を有し前記噴霧部にミスト噴出用の噴霧水を供給する主管と、前記主管と平行に配置され前記噴霧部に前記噴霧水の温度調整用の温調水を供給する副管と、前記噴霧部への前記温調水の供給量を前記噴霧部毎に調整する開口部を備える調整板と、を有し、前記副管が前記噴霧部に前記温調水を供給する供給部を備え、前記調整板が供給部を流通する前記温調水の流通量を前記開口部により前記噴霧部毎に夫々異なる量に調整するものであることを特徴とするミスト噴出装置。
【請求項２】
前記供給部が前記主管に連通し、前記副管が前記主管を介して前記噴霧部に前記温調水を供給するものであることを特徴とする請求項１に記載のミスト噴出装置。
【請求項３】
前記調整板が前記噴霧部の並ぶ直線に平行な軸を有し前記開口部を周面に備える円筒形状であり、前記調整板は前記供給部あるいは前記供給部と副管の間に前記周面の一部が位置して前記温調水の流通量を調整するものであることを特徴とする請求項１または請求項２に記載のミスト噴出装置。
【発明の詳細な説明】
【技術分野】
【０００１】
本発明は、ミスト噴出装置、殊に、噴霧対象にミストを噴出するミスト噴出装置に関するものである。
【背景技術】
【０００２】
従来から、浴室内に配置され人体等の噴霧対象に湯を複数の噴霧部から霧状に噴出してミストシャワーやミストサウナを行うミスト噴出装置がある。
【０００３】
この種のミスト噴出装置は外部の給湯管から供給された湯を噴霧水として利用することで、熱交換器やボイラー等を内蔵せずにすみ、装置の大型化及び費用の増加を抑制している。そのため、噴出するミストの温度（以下、ミスト温度とする）は給湯管に湯を供給する給湯器等の外部熱源機の湯温を変更することで調整している（例えば、特許文献１等参照）。
【先行技術文献】
【特許文献】
【０００４】
【特許文献１】特開２０１０−５１７０号公報
【発明の概要】
【発明が解決しようとする課題】
【０００５】
しかしながら、噴霧中にミスト温度を調整しようと熱源機の加熱温度を変更しても、変更後の加熱温度で加熱された湯が給湯管を介してミスト噴出装置に供給されるまでミスト温度が変化しないため、ミスト温度を調整し難いという問題がある。
【０００６】
また、複数設けられた噴霧部は夫々略同じミスト温度でミストを噴出するため、一部の噴霧部を停止する等の噴霧範囲を狭めることでしかミスト温度に差を与えられず、異なるミスト温度による快適な噴霧を行うことができないという問題もある。
【０００７】
そこで、この事情に鑑み、装置の大型化や費用の増加を抑えて、各噴霧部のミスト温度を容易に変更でき、噴霧部毎に異なるミスト温度で噴霧可能なミスト噴出装置を提供することを課題とした。
【課題を解決するための手段】
【０００８】
この課題を解決するために、第１の発明は、一直線状に並び噴霧対象にミストを噴出する複数の噴霧部と、前記噴霧部の並ぶ直線に平行な軸を有し前記噴霧部にミスト噴出用の噴霧水を供給する主管と、前記主管と平行に配置され前記噴霧部に前記噴霧水の温度調整用の温調水を供給する副管と、前記噴霧部への前記温調水の供給量を前記噴霧部毎に調整する開口部を備える調整板と、を有し、前記副管が前記噴霧部に前記温調水を供給する供給部を備え、前記調整板が供給部を流通する前記温調水の流通量を前記開口部により前記噴霧部毎に夫々異なる量に調整するものであることを特徴とするミスト噴出装置である。
【０００９】
また、第２の発明は、前記供給部が前記主管に連通し、前記副管が前記主管を介して前記噴霧部に前記温調水を供給するものであることを特徴とするミスト噴出装置である。
【００１０】
また、第３の発明は、前記調整板が前記噴霧部の並ぶ直線に平行な軸を有し前記開口部を周面に備える円筒形状であり、前記調整板は前記供給部あるいは前記供給部と副管の間に前記周面の一部が位置して前記温調水の流通量を調整するものであることを特徴とするミスト噴出装置である。
【発明の効果】
【００１１】
このような構成としたことで、主管からの噴霧水に副管からの温調水を混合するだけで、噴霧部からのミスト温度を容易に変更できると共に、調整板により各噴霧部のミスト温度を夫々異なるものにできる。そのため、装置の大型化や費用の増加を抑えると共に噴霧範囲を狭めずにミスト温度に差を有する噴霧を行え、従来のものより快適なミスト環境を形成することができる。
【図面の簡単な説明】
【００１２】
【図１】本発明の実施形態の一例の（ａ）一部を切断した側面図と（ｂ）平面図である。
【図２】調整板の展開図である。
【図３】同上の変形例の要部を拡大した側面図である。
【図４】本発明の他例の一部を省略した平面図である。
【発明を実施するための形態】
【００１３】
以下、実施形態の一例を図面に基づいて説明する。
【００１４】
本例のミスト噴出装置１は浴室等のユニットルームの内装面に設けられるものであり、浴室利用者等のユニットルーム内に居る人間等をミストを噴出する噴霧対象とするものであり、ミストシャワーやミストサウナ効果を与えるものである。
【００１５】
詳しくは、図１に示すように、矩形状のケース２の前面にミストを噴出する噴霧部３を備えると共に、ケース２の内部に、噴霧水を噴霧部３に供給する主管４と、噴霧水の温度調整用の温調水を供給する副管５と、を備えるものである。
【００１６】
そして、噴霧部３はケース２の端辺に沿って略一直線に複数並んで配置されており、噴霧部３の後方には噴霧部３の並ぶ直線に軸を平行にして主管４が配置されており、主管４の後方には主管４に平行に副管５が配置されている。つまり、噴霧部３の並ぶ直線と主管４及び副管５の軸が前後方向に沿って平行で一列に配置されている。
【００１７】
そして、主管４は軸方向Ｒの一端が電磁弁４ｂを介してホース等の第１の接続管４ａで浴室の混合水栓等の給湯管に接続されており、給湯管の湯が第１の接続管４ａを介して内部に流入されている。更に、主管４の周面には噴霧部３に連通し給湯管からの湯を噴霧部３に流通させる流路である供給部７が噴霧部３毎に夫々設けられており、主管４は各供給部７を介して夫々対応する噴霧部３に湯を供給している。
【００１８】
また、副管５は軸方向Ｒの一端が電磁弁５ｂを介してホース等の第２の接続管５ａで浴室の混合水栓等の給水管に接続されており、給水管の水が第２の接続管５ａを介して内部に流入されている。そして、副管５の周面には主管４に連通し給水管からの水を主管４に流通させる流路である供給部７が設けられており、副管５は供給部７から主管４を介して噴霧部３に水を供給しており、主管４内の湯に水を混合することで噴霧部３のミスト温度を低下させている。
【００１９】
更に、副管５の供給部７は主管４の供給部７と異なり、一直線に並ぶ噴霧部３の両端に渡って軸方向Ｒに長い矩形状の開口となっており、供給部７は副管５内に配置された円筒形状の調整板６により一端（副管５側）の開口面積が調整されている。以下、主管４側の供給部７を主供給部７ａとし副管５側の供給部７を副供給部７ｂとして区別する。
【００２０】
この調整板６は副管５と同芯で副管５の内側に配置された円筒形状の板で、その外径は外周面を副管５の内周面に略密着させて摺動可能な寸法のものであり、副管５内の温調水は調整板６の周面を介して副供給部７ｂに流通されるものとなっている。
【００２１】
そのため、調整板６は副管５の温調水を副供給部７ｂに流通させるための開口部８を周面の一部に有しており、この周面が副供給部７ｂに位置して開口部８と副供給部７ｂが連通することで、副管５内の温調水が副供給部７ｂに流通されるものである。つまり、調整板６は温調水が流動する副管５側空間と噴霧水が流動する主管４側空間を区画するものであり、温調水は副供給部７ｂに連通した調整板６の開口部８以外から主管４側に流入しないものとなっている。
【００２２】
この調整板６の周面は、例えば、図２に示すように、副供給部７ｂを閉塞する遮蔽部１０と、一つの開口部８で副供給部７ｂ全体の開口面積を軸方向Ｒに異ならせる第１調整部１１と、各噴霧部３に対応する位置に夫々開口部８を有し開口部８毎に副供給部７ｂの開口面積を軸方向Ｒに異ならせる第２調整部１２と、からなっている。なお、説明の便宜上、噴霧部３に対応する位置を明確にするため、図２中の点線の丸印９が噴霧部３の軸方向Ｒにおける仮想位置（軸方向Ｒの間隔）である。
【００２３】
第１調整部１１は副供給部７ｂの周方向の寸法である幅Ｓ１のものである。そして、第１調整部１１は副供給部７ｂの開口の軸方向Ｒの寸法と略同寸で上流側に鋭角１１ｂを有する略三角形状の開口部１１ａを一つ備えており、この開口部１１ａは副管５の下流側に向かって漸次的に幅が広くなっている。
【００２４】
つまり、第１調整部１１が副供給部７ｂに位置することで、副供給部７ｂの副管５側の開口が開口部１１ａの形状に沿って下流側程面積が広くなる略三角形状となり、副供給部７ｂに流入される温調水の量（流通量）は上流側程少なくなるものである。そのため、第１調整部１１が副供給部７ｂに位置すると、各噴霧部３のミスト温度は主管４の上流側から下流側に向かって低下すると共に、直線上（軸方向Ｒ）で隣り合う噴霧部３間のミスト温度の差は下流側程大きくなるものとなる。
【００２５】
また、第２調整部１２は夫々噴霧部３の軸方向Ｒの間隔と略同じ間隔で軸方向Ｒに配置された複数の開口部１２ａを備えるものであり、各開口部１２ａは周方向の寸法Ｓ２が副供給部７ｂの周方向の寸法である幅Ｓ１より長く周方向に面積が漸次的に変化するものである。そして、開口部１２ａは調整板６の周方向に鋭角１２ｂを有する略三角形状を基本形状として、第２調整部１２内で互いに鋭角１２ｂが軸方向Ｒに重ならないよう周方向に夫々ずらして配置したものとなっている。
【００２６】
つまり、第２調整部１２は副供給部７ｂを各開口部１２ａで噴霧部３毎に夫々異なる面積に開口させると共に、副供給部７ｂに位置した各開口部１２ａの温調水を流通可能な開口面積の合計が常に一定となるものである。そのため、副供給部７ｂを最も広く開口させる開口部１２ａに対応する噴霧部３とその噴霧部３の上流側に位置する噴霧部３のミスト温度の差が最も大きくなるものであり、第２調整部１２はその最も温度差の大きい噴霧部３間の位置を軸方向Ｒに変更可能なものとなっている。
【００２７】
なお、調整板６に設ける開口部８の形状及び数は例示の構成に限らず、開口部８が、上流と下流の中間で最も開口面積が広くなるあるいは狭くなるものや、軸方向Ｒと周方向に複数並ぶもの等であってもよい。ましてや、調整板６が遮蔽部１０と第１調整部１１だけのものや、第１、第２調整部１１、１２の他に開口部８の形状や配置の異なる第３や第４調整部を備えるもの等であってもよい。
【００２８】
また、調整板６はケース２内に設けた駆動機構（特に図示しない）により円筒の中心軸を回転軸として副管５内を摺動するものであり、この摺動により副供給部７ｂに位置する調整板６の周面の位置を変更調整するものとなっている。つまり、駆動機構は副供給部７ｂに対する調整板６の遮蔽部１０と第１調整部１１と第２調整部１２の切換を行うと共に、第２調整部１２では最も温度差を有する噴霧部３間の位置を変更するものである。
【００２９】
この駆動機構とは、例えば、モータ等の駆動源と、駆動源の回転駆動で円筒形状の調整板６を軸周りに回転させる歯車等の回転伝達部と、を有している。そして、駆動機構はマイクロコンピュータ等の制御部（特に図示しない）により駆動源の回転速度や回転数等を制御されることで調整板６の副供給部７ｂに位置する部位を調整するものである。更に、この制御部は、利用者により外部操作される操作部（特に図示しない）の操作信号により駆動機構を制御すると共に、主管４の電磁弁４ｂや副管５の電磁弁５ｂの開閉等も制御している。なお、駆動機構は副供給部７ｂの温調水の流通量を変更する調整板６の周面を変更可能なものであればよく、上記構成に限定するものではない。
【００３０】
このように、ミスト噴出装置１は副供給部７ｂを介して温調水を主管４に流入させて噴霧水に混合することで、噴霧部３に供給される噴霧水の温度を低下させて、ミスト温度を低下させるものである。そのため、熱交換器や外部の給湯器等でミスト温度を変更するものに比べて短時間でミスト温度を変えられ、ミスト温度の変更調整を容易に行うことができる。
【００３１】
そして、調整板６が各噴霧部３に対応する位置毎に夫々副供給部７ｂの開口面積を異なるものに変更する開口部８を有するため、温調水は各噴霧部３に対応する位置毎に夫々異なる量で副供給部７ｂを流通するものとなる。そのため、各噴霧部３に夫々異なる量で温調水を噴霧部３に供給でき、各噴霧部３のミスト温度を夫々異なるものにすることができる。
【００３２】
更に、本例のミスト噴出装置１は従来のものに調整板６を内蔵した副管５と調整板６用の駆動機構を増設すると共に、副供給部７ｂに連通する開口を主管４に形成するだけで構成することができる。そのため、熱媒の温度制御等の複雑な制御及び専用の熱源を必要とする熱交換器等を増設してミスト温度を調整する大型化をまねくものに比べて、増設に伴う費用の増加及び装置の大型化を抑えることができる。
【００３３】
つまり、装置の大型化や費用の増加を抑えると共に噴霧範囲を狭めずにミスト温度に差を与えた噴霧を行えるものであり、従来のものより快適なミスト環境を形成することができるものとなっている。そして、調整板６が噴霧部３毎に夫々開口部８を有する第２調整部１２を備えるため、ミスト温度の差を与える噴霧部３間の位置を噴霧対象の嗜好や利用環境等に対応させることができ、噴霧対象により快適な噴霧を行うことができる。
【００３４】
また、副供給部７ｂは全ての噴霧部３に渡る寸法で開口を形成した一つの流路で各噴霧部３に温調水を夫々供給するものに限らず、図３に示すように、各噴霧部３に対応する位置に夫々副供給部７ｂを個別に設けるものもある。このものでは、調整板６が副管５より大径の円筒形状のものであり、周面は副供給部７ｂの途中に位置して摺動するものとなっている。
【００３５】
つまり、副供給部７ｂは調整板６により噴霧部３毎に副供給部７ｂ内の温調水の流通量を調整可能なものであればよい。ましてや、調整板６は円筒形状のものに限らず、平板形状のものであってもよい。そして、調整板６を副管５の外側に配置するものでは、調整板６の周面が副管５と副供給部７ｂの間（副供給部７ｂの一端側）あるいは副供給部７ｂの途中や副供給部７ｂの他端側に位置して摺動するものとなる。
【００３６】
また、副供給部７ｂの他端を主管４に接続し温調水が主管４を介して噴霧部３に供給されるものに限らず、副供給部７ｂの他端を直接噴霧部３に接続し、温調水と噴霧水の混合を噴霧部３で行うものであってもよい。
【００３７】
例えば、図４に示すように、副供給部７ｂを主管４を介さずに噴霧部３に接続すると共に、噴霧部３毎に副供給部７ｂの開口を設けるものがある。このものでは、主管４側と副管５側の両方に夫々調整板６を配置して、噴霧水の供給量と温調水の供給量の両方を夫々噴霧部３毎に調整可能となっている。そのため、副供給部７ｂから供給された温調水が対応する噴霧部３より下流側に位置する他の噴霧部３にも供給されることを防止できる。
【００３８】
つまり、温調水は各副供給部７ｂに夫々対応する噴霧部３にのみ供給され他の噴霧部３に供給されないため、下流側の噴霧部３のミスト温度を上流側の噴霧部３より低いものだけでなく、上流側と略同じものや上流側より高いものにできる。そのため、噴霧部３間のミスト温度の差の調整幅が広がり、噴霧対象の嗜好や利用環境等により対応し易いものとなっている。
【００３９】
また、主管４と副管５に夫々調整板６を配置することで、各噴霧部３のミスト温度をより詳細に調整でき、ミスト温度の調整幅がより広がり、噴霧部３間のミスト温度の差をより噴霧対象の嗜好や利用環境等に対応し易くなる。
【００４０】
そして、主管４側の調整板６で主管４からの噴霧水の供給を遮断したり主管４側の供給量より副管５側の供給量を多くしたりすることで、副管５から供給される温調水を噴霧水として利用することができる。つまり、湯を噴霧水とし水を温調水とした温水ミストと、水を噴霧水とし湯を温調水とした冷水ミストを、主管４と副管５に流通する流体（湯や水）を入れ替えなくても容易に切り換えられものであり、調整可能なミスト温度の幅がより広くなり好ましい。
【００４１】
なお、本発明のミスト噴出装置は、噴霧水を湯とし温調水を水としたものに限らず、噴霧水を水とし温調水を湯としたものであってもよく、ましてや温調水に薬剤を用いて噴霧水の温度だけでなく噴霧水中の薬剤混合量を調整するものであってもよい。
【符号の説明】
【００４２】
１  ミスト噴出装置
３  噴霧部
４  主管
５  副管
６  調整板
７  供給部
８  開口部
【図１】
2011183049.tif 000003
【図２】
2011183049.tif 000004
【図３】
2011183049.tif 000005
【図４】
2011183049.tif 000006